(57)【特許請求の範囲】
【請求項１】
箱状の本体ケースと、該本体ケースに取り付け可能な加熱調理具と、前記本体ケースを載置可能な本体と、該本体に取り付けられ、前記加熱調理具の上下に配置されるヒーターと、前記本体ケースに対し上下方向に開閉される蓋体とを備えた加熱調理器であって、
前記本体ケース後方側壁部にヒーター挿入用の孔を設け、
更に前記本体ケース底部の後方裏面部に凸部を設け、
前記本体ケースを前記本体にセットした時には、前方端と後方端は略同一高さとなり、前記本体より取り外し、水平面に置いた時には、前方端が後方端より低くなることを特徴とする加熱調理器。
【発明の詳細な説明】
【０００１】
【発明が属する技術分野】
本願発明は、フィッシュロースター等の加熱調理器に関し、特に加熱調理器の本体ケースを本体に取り付ける際の着脱及び位置決めが容易な着脱構造に関するものである。
【０００２】
【従来の技術】
従来のフィッシュロースターを図１６に示す。フィッシュロースターは、本体１と、該本体１上に載置される本体ケース２と、該本体ケース２の上端部に取り付けられる焼き網３と、前記本体ケース２の上面を開閉する蓋体４等から構成される。
【０００３】
各部材についての概略を説明すると、本体１は、本体ケース２が載置される底板部１１、取手１２、ヒンジ１４及びヒータ等からなる。前記底板部１１は、金属製の方形の平板部材からなり、その下部には、底板部１１を支持する支持部材１３が図示しないビスにより結合配置される。この支持部材１３は、樹脂製からなり、その底部には、４本の脚部１３ａが、更にその左右側部には、前記取手１２、１２が一体的に形成される。
【０００４】
前記底板部１１の後方側部には、樹脂製のカバーで覆われた金属製のヒンジ１４が図示しないビスにより一体的に結合配置される。該ヒンジ１４は、上側ヒンジ１４ａ及び下側ヒンジ１４ｂからなり、下側ヒンジ１４ｂの前方面には、横長な金属製のケース塞ぎ板１５ｂが取り付けられるとともに、該ケース塞ぎ板１５ｂには、前方へ前記底板部１１と平行に張り出し、平面視略ハート形の下ヒータ１６ｂが取り付けられる。
【０００５】
また、上側ヒンジ１４ａの左右側側面には、ヒンジ軸１７が突出配置されるとともに、このヒンジ軸１７には、ヒンジ金具１７ａ、１７ａが該ヒンジ軸１７に対して回動自在に軸支される。前記ヒンジ金具１７ａ、１７ａの他端には、金属製の横長な蓋塞ぎ板１５ａが取り付けられるとともに、該蓋塞ぎ板１５ａの前方側には、平面視略ハート形の上ヒータ１６ａが取り付けられ、この上ヒータ１６ａは、前記蓋塞ぎ板１５ａとともにヒンジ１４に対し、略９０度回動自在とされる。
【０００６】
前記本体ケース２は、金属製の上方開放の箱形状からなり、その後方側壁部には、前記下ヒータ１６ｂが挿入可能なヒータ挿通孔２１が、その底部前方側には、ヒータ支え２２、２２が、更にその側方両側壁部には、網支え２３、２３がそれぞれ設けられている。
【０００７】
この本体ケース２は、本体１の底板部１１に載置して用いられるが、その載置に際して下ヒータ１６ｂをヒータ挿通孔２１内に挿入する必要があるため、底板部１１上をその前方側より後方側に向かって滑らせながら押し込むことによって行う。また、この本体ケース２内には、所定量の水が入れられるとともに、その上面には、前記網支え２３に支持される形態で加熱調理具としての焼き網３が配設される。
【０００８】
前記蓋体４は、金属製の、下方開放の箱形状からなり、その後方側壁部には、前記上ヒータ１６ａが挿入可能なヒータ挿通孔４１が、その底部前方側には、２個のヒータ反射板兼用支え４２、４２が、その底部後方側には、２個の反射板支え４３、４３が、更にその前方側壁部には、透視窓４５が設けられている。
【０００９】
そして、前記蓋体４は、ヒータ挿入孔４１内に上ヒータ１６ａを挿入後、蓋塞ぎ板１５ａの蓋止め片１８を蓋体４の後方側壁部の左右端に設けられる係合孔４６に係合固定することにより、蓋塞ぎ板１５ａに一体的に固定され、本体ケース２に対して略９０度開閉自在にされる。なお、符号５は、蓋体４の内面に取り付けられる反射板である。
【００１０】
フィッシュロースターは、上記の構造からなるもので、その使用及び取り外し時には、本体ケース２のヒータ挿通孔２１内に下ヒータ１６ｂを挿入したり、挿脱する必要上、前記したように、底板部１１上に内部に所定量の水を入れた本体ケース２を滑らせながら押し込んだり、或いは引き出したりすることによってその挿入或いは挿脱を行わざるをえなく、その挿入或いは挿脱時に、ヒータ挿通孔２１に下ヒータ１６ｂが接触したりする等、その着脱をスムーズに行うことができなかった。
【００１１】
また、該本体ケース２を底板部１１上に載置しただけでは、何かの拍子に本体ケース２に力が加わると本体ケース２が動き、内部の水がこぼれたりする等の弊害が生じていた。
【００１２】
これらの弊害をなくすため、例えば、前記支持部材１３と一体に形成される左右の取手１２間の長さを本体ケース２の左右の幅長さよりやや長く設定し、本体ケース２を底板部１１上に載置するに際し、前記取手１２を本体ケース２の位置決めのガイドとして利用し、本体ケース２の押し込みをスムーズに行うとともに、前記上側ヒンジ１４ａの左右上端部に係止片１８ａ，１８ａを設け、本体ケース２を底板部１１上に挿入後においては、該係止片１８ａ，１８ａによって本体ケース２の後方側の上方開口縁部を係止し、本体ケース２挿入後の本体ケース２の前方側への移動を防止するようにしたものが既に提案されている。
【００１３】
ところが、従来のように本体ケース２の位置決め手段として取手１２を利用するものにおいては、取手が位置決めないし左右方向の移動阻止手段としての機能を併せ持つことが必要となるため、取手１２にリブ等の補強手段を施す必要が生じ、それだけ製造コストが高くなったり、また、リブを設けるということはその間に焼き肉の汁等が入り込み衛生的ではなく、更に取手１２と本体ケース２とを接近して配置せざるを得ず、取手１２がそれだけヒータに近くなるため、取手１２の温度対策も必要になるという問題、更にまた上側ヒンジ１４ａの左右上端部に係止片１８ａ，１８ａを別途設ける必要があり、更にコストアップを招くという諸問題を生じていた。
【００１４】
【発明が解決しようとする課題】
本願発明は、本体ケース２底部ないし底板部１１上に本体ケース２をガイドないし位置決めをするとともに、左右方向の移動を防止するための凹凸手段を設けることにより、従来の問題を解決することを目的とする。
【００１５】
【課題を解決するための手段】
上記目的を達成するため、本願発明は以下の構成を採用する。
【００１８】
本願発明では、箱状の本体ケースと、該本体ケースに取り付け可能な加熱調理具と、前記本体ケースを載置可能な本体と、該本体に取り付けられ、前記加熱調理具の上下に配置されるヒーターと、前記本体ケースに対し上下方向に開閉される蓋体とを備えた加熱調理器であって、前記本体ケース後方側壁部にヒーター挿入用の孔を設け、更に前記本体ケース底部の後方裏面部に凸部を設け、前記本体ケースを前記本体にセットした時には、前方端と後方端は略同一高さとなり、前記本体より取り外し、水平面に置いた時には、前方端が後方端より低くなる構成。そしてこの構成により、本体ケースを本体から取り外し、流し台等の水平面に置いた時、本体ケースの前方側が下がるため、本体ケースの後方側壁部に設けたヒータ挿通孔より水がこぼれることがない。
【００１９】
【発明の実施の形態】
（第１実施例）
図１ないし図６は、本願発明の第１実施例であり、図１は全体斜視図を、図２はその断面図を、更に図３は加熱調理器の本体斜視図、図４は図３に対応する本体ケース上面斜視図、図５は図３に対応する本体ケース下面斜視図、図６は第１実施例の変形例の本体斜視図を示す。なお本願発明は加熱調理器に関するものであるが、以下においては、加熱調理具としての焼き網の上下側にそれぞれヒータを配置した両面焼きタイプのフィッシュロースターについて説明する。
【００２０】
フィッシュロースターは、従来の技術の項で図１６に基づいて説明したように、基本的には本体１と、該本体１上に載置される本体ケース２と、該本体ケース２の上端部に取り付けられる加熱調理具としての焼き網３と、前記本体ケース２の上面を開閉する蓋体４等から構成される。その全体については、従来の技術の項で説明しているため、以下においては、本願の特徴とする構成について説明し、その他については省略する。
【００２１】
図１は全体斜視図を、図２はその断面図を、更に図３は、本体ケース、ヒータ及び蓋体等を取り外した本体１の斜視図を示す。本体１は、本体ケース２が載置される底板部１１、取手１２及びヒンジ１４等からなる。前記底板部１１は、金属製の方形の平板部材からなり、その下部には、底板部１１を支持する支持部材１３が図示しないビスにより結合配置される。この支持部材１３は、樹脂製からなり、その底部には、４本の脚部１３ａが、更にその左右側部には、前記取手１２、１２が一体的に形成される。そして該取手１２には、必要に応じて温度調節用つまみ１２ａが配置される。
【００２２】
前記底板部１１の後方側部には、樹脂製のカバーで覆われた金属製のヒンジ１４が図示しないビスにより一体的に結合配置される。該ヒンジ１４は、上側ヒンジ１４ａ及び下側ヒンジ１４ｂからなり、下側ヒンジ１４ｂの前方面には、横長な金属製のケース塞ぎ板１５ｂが取り付けられるとともに、該ケース塞ぎ板１５ｂには、前方へ前記底板部１１と平行に張り出し、平面視略ハート形の下ヒータがヒータ挿通口１６ｃに取り付けられる。
【００２３】
また、上側ヒンジ１４ａは、下側ヒンジ１４ｂに対し、略９０度回動自在とされるとともに、該上側ヒンジ１４ａには、上ヒータを取り付けるための金属製の横長な蓋塞ぎ板が設けられる。
【００２４】
符号５０は、底板部１１上に形成される凸状板部で、底板部１１と別体で作製してもよいが、通常はプレスにより底板部１１と一体成形される。その形状は、略方形で、その高さは、１０ｍｍ前後とされる。なお、左右方向の幅の長さを前方側（温度調節用つまみ１２ａ側）より後方側（ヒンジ１４側）の方を長くする略台形状にすることにより、後記の本体ケースの位置合わせが容易になり、その着脱を滑らかにすることができる。また、前記凸状板部５０の高さも前方より後方を低くすることにより、本体ケースの装着を容易に行えるとともに、装着後に本体ケースが前方側にずれることがなくなる。なお、凸状板部５０の左右側面部５０ｂ、５０ｂは略垂直面とされる。
【００２５】
前記凸状板部５０の左右側面部の後方端部よりはやや前方側には、左右方向へ張り出した突出片５１が凸状板部５０とともに一体に設けられる。しかし該突出片５１は、凸状板部５０と別体であっても構わない。この凸状板部５０は、前方側から後方側の頂部５１ａに向かって高くなる傾斜した前方面５１ｂ及び頂部５１ａから略垂直な後方面５１ｃを有する断面三角形の楔状を呈しており、後記の本体ケースの底部に設ける凸部の傾斜面と当接し、本体ケースの移動を滑らかにする。
【００２６】
図４及び図５は、本体ケース２を示す。該本体ケース２は、その側面にヒータ挿通孔２１がある側が後方に相当する。そしてその底面２ａには、内側から外側へ膨出した前方凸部２４及び後方凸部２５の２種類の凸部が形成されるとともに、これら凸部２４、２５は、左右方向に同じものをそれぞれ２個ずつ配置した計４個の凸部からなる。
【００２７】
前記前方凸部２４は、円柱状の凸部であり、その底面部２４ａは平坦とされる。また、２つの前方凸部２４の内側側面部２４ｂ、２４ｂ間の距離は、図３の凸状板部５０の左右方向の幅の長さよりやや大きい程度の長さに設定される。なお、この前方凸部２４の形状は、特に円柱に限らず、四角柱或いは前後方向に細長い形状等いろいろの形状のものであっても良いし、場合によってはなくても良い。
【００２８】
前記後方凸部２５は、図５において前方から後方にかけて下方に向かって傾斜した底面部２５ａ、略垂直な前方面２５ｃ及び略垂直な内側側面部２５ｂを有する略四角柱からなり、２つの後方凸部２５の内側側面部２５ｂ、２５ｂ間の距離は、前記前方凸部２４の内側側面部２４ｂ、２４ｂ間の距離に等しくされる。また、前記後方凸部２５の高さＸ（垂直な前方面２５ｃの高さ）は、前記前方凸部２４の高さＹより大きくされる（Ｘ＞Ｙ）とともに、後方凸部２５の高さは、図３の凸状板部５０の高さ以下にされる。なお、この後方凸部２５の形状も特に四角柱に限らず、円柱或いは前後方向に細長い形状等いろいろの形状のものであっても良い。
【００２９】
この実施例のものは、本体１の底板部１１上面に凸状板部５０を設けるとともに、本体ケース２底面２ａに凸部２４，２５をそれぞれ設けることを特徴とするものである。そして底板部１１上に本体ケース２を載置するに際しては、以下の手順によって行う。
【００３０】
即ち、まず凸状板部５０の前方側に本体ケース２の後方側底面２ａを載せ、本体ケース２の後方凸部２５の内側側面部２５ｂ、２５ｂ間に凸状板部５０の略垂直な左右側面部５０ｂ、５０ｂが入るように位置合わせをする。位置合わせをする場合、凸状板部５０の略垂直な左右側面部５０ｂ、５０ｂ間の幅の長さを前方側を後方側より短くしておくことによりその位置合わせを容易に行うことができる。
【００３１】
位置合わせ終了後に本体ケース２を凸状板部５０上に載せたまま本体ケース２の前方側面を後方側に押すことにより、本体ケース２を押し込む。すると本体ケース２の後方凸部２５の内側側面部２５ｂ、２５ｂ及び同じく本体ケース２の前方凸部２４の内側側面部２４ｂ、２４ｂは、凸状板部５０の略垂直な左右側面部５０ｂ、５０ｂとでガイドされ、左右方向へずれることなく真っ直ぐ後方に押し込むことができる。この場合、前方凸部２４がなくても行うことができるが、あった方が、左右方向のずれが少なくて良い。
【００３２】
本体ケース２を押し込んでいくと、本体ケース２の後方凸部２５が、凸状板部５０左右側面部に左右方向へ張り出して設けられる突出片５１に当接する。構わず本体ケース２を押し込んでいくと、本体ケース２後方凸部２５の傾斜底面部２５ａが、突出片５１の傾斜前方面５１ｂ上に乗り上げて後方へ押し込まれる。そしてついには、本体ケース２後方凸部２５の傾斜底面部２５ａは、突出片５１の傾斜前方面５１ｂを乗り越え、後方凸部２５は、突出片５１の後方側に落ち込むことになるとともに、落ち込んだ後に本体ケース２は、ケース塞ぎ板１５ｂに当接し、それ以上の後方側の移動は阻止される。この場合、本体ケース２後方凸部２５の略垂直な前方面２５ｃと突出片５１の略垂直な後方面５１ｃとが当接し、ストッパーとしての機能を奏するため、その状態で、本体ケース２を前方側に引いても本体ケース２は移動しない。本体ケース２を引き出すには、一旦本体ケース２の後方端を持ち上げ、本体ケース２後方凸部２５と突出片５１との係合を取り去った後に、前方側へ引き出すことになる。
【００３３】
なお、前記したように、本体ケース２の前記後方凸部２５の高さＸ（垂直な後方面２５ｃの高さ）は、前記前方凸部２４の高さＹより大きくされているが、本体ケース２を底板部１１に載置した状態では、本体ケース２の底面２ａが凸状板部５０の上面部５０ａに当接した状態になっているので、本体ケース２は水平を維持する。しかしながら、本体ケース２を底板部１１より取り外し、流し台等の水平面に置いた場合には、本体ケース２は、ヒータ挿通孔２１がある後方側が高くなるので、本体ケース２内に入れた水が、振動で揺れて該ヒータ挿通孔２１よりこぼれるのを防止できる。
【００３４】
また、本体ケース２後方凸部２５の略垂直な前方面２５ｃと突出片５１の略垂直な後方面５１ｃとが当接し、ストッパーとしての機能を奏するとして説明したが、前記前方面２５ｃ及び後方面５１ｃは、必ずしも略垂直である必要はなく、ストッパー機能を有する角度であれば例えばより鈍角な角度であっても構わない。
【００３５】
図６は、第１実施例の変形例を示す。第１実施例の凸状板部５０は、平板状のものとして説明したが、その上面部５０ａは、それだけの平板面積は必要なく、要は、その上面部５０ａ上を本体ケース２の底面２ａが当接しながら前後方向に移動可能な広さを有すればよいため、該上面部５０ａの中央部の凸状部を省略し、左右側の前後方向に伸びる２本の凸状板部５０，５０としたものである。
【００３６】
このように形成することにより、凸状板部５０の上面部５０ａと本体ケース２の底面２ａとの接触面積を低減することができ、本体ケース２の動きを滑らかにするとともに、本体ケース底部からの熱伝導も少なくなり床面の温度上昇も抑えることができる。また、本体ケース２の凸部２４、２５と凸状板部５０側面部５０ｂとのガイド部を、２本の凸状板部５０，５０の内側の側面で行うこともできるので、本体ケース２の凸部２４、２５の取り付け位置を適宜選択することができる。
【００３７】
（第２実施例）
図７ないし図９は、本願発明の他の実施例であり、図７は加熱調理器の本体斜視図、図８は図７に対応する本体ケース上面斜視図、図９は図７に対応する本体ケース下面斜視図を示す。なお、第１実施例と共通な事項については省略する。
【００３８】
符号５０は、底板部１１上に形成される凸状板部で、底板部１１と別体で作製してもよいが、通常はプレスにより底板部と一体成形される。その形状は、略方形で、その高さは、１０ｍｍ前後とされる。なお、左右方向の幅の長さは、第１実施例のものよりも短いとともに、本体ケースの着脱時には、この凸状板部５０の上面部５０ａは本体ケースの底面と接触することはなく、本体ケース２が凸状板部５０上に完全に載置された時点で初めて両者は当接状態となる。
【００３９】
前記凸状板部５０の左右側には、前後方向に長方形状の凹陥部５２が設けられる。この凹陥部５２の底部は、前方から後方に向かって深くなる傾斜面５２ａが設けられるとともに、その後端部には、更に深い落ち込み部５２ｂが形成される。そしてその側面部５２ｃは、本体ケース底面に形成される凸部のガイドをスムーズに行うため略垂直に形成される。
【００４０】
図８及び図９は、本体ケース２を示す。該本体ケース２は、その側面にヒータ挿通孔２１がある側が後方に相当する。そしてその底面２ａには、内側から外側へ膨出した前方凸部３０及び後方凸部３１の２種類の凸部が形成されるとともに、これら凸部３０、３１は、左右方向に同じものをそれぞれ２個ずつ配置した計４個の凸部からなる。
【００４１】
前記前方凸部３０は、円柱状の凸部であり、その底面部３０ａは丸み形状とされる。また、２つの前方凸部３０の内側側面部３０ｂ、３０ｂ間の距離は、図７の２つの凹陥部５２、５２の内側側面部５２ｃ、５２ｃ間の長さよりやや大きい程度の長さに設定される。なお、この前方凸部３０の形状は、特に円柱に限らず、四角柱或いは前後方向に細長い形状等いろいろの形状のものであっても良いし、場合によってはなくても良い。
【００４２】
前記後方凸部３１は、図９に示すように、傾斜前方面３１ａ及び傾斜後方面３１ｂ、更には略垂直な内側側面部３１ｃを有する楔状からなり、２つの後方凸部３１の内側側面部３１ｃ、３１ｃ間の距離は、前記前方凸部３０の内側側面部３０ｂ、３０ｂ間の距離に等しくされる。また、前記後方凸部３１の高さＸは、前記前方凸部３０の高さＹより大きくされる（Ｘ＞Ｙ）とともに、後方凸部３１の高さは、図７の凸状板部５０の高さより高くされる。
【００４３】
この実施例のものは、本体１の底板部１１上面に凸状板部５０及び２つの凹陥部５２を設けるとともに、本体ケース２底面２ａに凸部３０，３１をそれぞれ設けることを特徴とするものである。そして底板部１１上に本体ケース２を載置するに際しては、以下の手順によって行う。
【００４４】
即ち、まず凸状板部５０の前方側に本体ケース２の後方側底面２ａを載せ、本体ケース２の後方凸部３１が、凹陥部５２内に入るように位置合わせをする。位置合わせ終了後においては、後方凸部３１の高さは凸状板部５０の高さより高いため、本体ケース２の底面２ａと凸状板部５０の上面部５０ａとは当接することなく、凹陥部５２の傾斜面５２ａと後方凸部３１の頂部３１ｄとが当接する。
【００４５】
この状態で本体ケース２の前方側面を後方側に押すことにより、本体ケース２を押し込む。すると本体ケース２の後方凸部は、凹陥部５２の内側側面部５２ｃ、５２ｃにガイドされ、左右方向へずれることなく真っ直ぐ後方に押し込まれる。この場合、本体ケース２の後方凸部は、ほぼ直線上の頂部３１ｄで凹陥部５２の傾斜面５２ａと当接しているだけであり、また、前記前方凸部３０も丸みを有する底面部３０ａで凹陥部５２の傾斜面５２ａと当接しているだけであるため、本体ケース２を押し込む力は少なくて済む。なお、前方凸部３０は、ある方が左右方向のずれが少なくてすむが、なくても良い。
【００４６】
続けて本体ケース２を押し込んでいくと、本体ケース２の後方凸部３１は、凹陥部５２の後端部に形成される深い落ち込み部５２ｂに落ち込む。落ち込んだ後に本体ケース２は、ケース塞ぎ板１５ｂに当接し、それ以上の後方側の移動は阻止される。この状態において落ち込み部５２ｂは、本体ケース２に対してストッパーとしての機能を奏するため、本体ケース２を前方側に引いても本体ケース２は移動しない。本体ケース２を引き出すには、一旦本体ケース２の後方端を持ち上げ、本体ケース２の後方凸部３１と落ち込み部５２ｂとの係合を取り去った後に、前方側へ引き出すことになる。
【００４７】
なお、前記したように、本体ケース２の後方凸部３１の高さは、前記前方凸部３０の高さより大きくされているが、本体ケース２を底板部１１に載置した状態、即ち、本体ケース２の後方凸部３１が凹陥部５２の落ち込み部５２ｂに落ち込んだ状態では、本体ケース２の底面２ａが凸状板部５０の上面部５０ａに当接した状態になっているので、本体ケース２は水平を維持する。しかしながら、本体ケース２を底板部１１より取り外し、流し台等の水平面に置いた場合には、本体ケース２は、ヒータ挿通孔２１がある後方側が高くなるので、本体ケース２内に入れた水が、振動で揺れて該ヒータ挿通孔２１よりこぼれるのを防止できる。
【００４８】
（第３実施例）
図１０ないし図１２は、本願発明の更に他の実施例であり、図１０は加熱調理器の本体斜視図、図１１は図１０に対応する本体ケース上面斜視図、図１２は図１０に対応する本体ケース下面斜視図を示す。なお、第１実施例と共通な事項については省略する。
【００４９】
符号５０は、底板部１１上に形成される凸状板部で、底板部１１と別体で作製してもよいが、通常はプレスにより底板部と一体成形される。その形状は、略方形で、その高さは、１０ｍｍ前後とされる。なお、前記凸状板部５０の高さを前方より後方を低くすることにより、本体ケースの装着を容易に行えるとともに、装着後に本体ケースが前方側にずれることがなくなる。
【００５０】
前記凸状板部５０の左右側には、前後方向に溝５３が形成される。該溝５３は、前後方向に直線で、且つその深さは、凸状板部５０の高さとほぼ同じにされる。そしてその後端部には、溝５３より深い深孔部５４が形成される。
【００５１】
図１１及び図１２は、本体ケース２を示す。該本体ケース２は、その側面にヒータ挿通孔２１がある側が後方に相当する。そしてその底面２ａには、内側から外側へ膨出した前方凸部２６及び後方凸部２７の２種類の凸部が形成されるとともに、これら凸部２６、２７は、左右方向に同じものをそれぞれ２個ずつ配置した計４個の凸部からなる。
【００５２】
前記前方凸部２６は、図１２に示すように、前後方向に向けられた細長い楔状の凸部であり、２つの前方凸部２６、２６間の距離は、図１０の凸状板部５０に設ける溝５３、５３間の距離に等しくされる。なお、この前方凸部２６の形状は、錐体、柱体或いは前後方向に細長い形状等いろいろの形状のものであっても良いし、場合によってはなくても良い。
【００５３】
前記後方凸部２７は、図１２に示すように、円錐状からなり、２つの後方凸部２７、２７の間の距離は、前方凸部２６と同様、図１０の凸状板部５０に設ける溝５３、５３間の距離に等しくされる。また、後方凸部２７の高さＸは、前記前方凸部２６の高さＹより大きくされる（Ｘ＞Ｙ）とともに、後方凸部２７の高さは、図１０の凸状板部５０の高さより高くされる。
【００５４】
この実施例のものは、本体１の底板部１１上面に凸状板部５０及び凸状板部５０の上面部に２つの溝５３を設けるとともに、本体ケース２底面２ａに凸部２６，２７をそれぞれ設けることを特徴とするものである。そして底板部１１上に本体ケース２を載置するに際しては、以下の手順によって行う。
【００５５】
即ち、まず凸状板部５０の前方側に本体ケース２の後方側底面２ａを載せ、本体ケース２の後方凸部２７が、溝５３内に入るように位置合わせをする。位置合わせ終了後においては、後方凸部２７の高さは凸状板部５０の高さより高いため、本体ケース２の底面２ａと凸状板部５０の上面部５０ａとは当接することなく、溝５３と後方凸部３１とが当接状態になる。
【００５６】
この状態で本体ケース２の前方側面を後方側に押すことにより、本体ケース２を押し込む。すると本体ケース２の後方凸部２７は、溝５３にガイドされるため、本体ケース２は、左右方向へずれることなく真っ直ぐ後方に押し込まれる。この場合、本体ケース２の後方凸部２７の先端部が溝５３に当接し、また、前記前方凸部２６も楔状の先端部が溝５３に当接しているだけであるため、本体ケース２を押し込む力は少なくて済む。なお、前方凸部２６は、ある方が左右方向のずれが少なくてすむが、なくても良い。
【００５７】
続けて本体ケース２を押し込んでいくと、本体ケース２後方凸部２７は、溝５３の後端部に形成される深孔部５４に落ち込む。落ち込んだ後に本体ケース２は、ケース塞ぎ板１５ｂに当接し、それ以上の後方側の移動は阻止される。この状態において深孔部５４は、本体ケース２に対してストッパーとしての機能を奏するため、本体ケース２を前方側に引いても本体ケース２は移動しない。本体ケース２を引き出すには、一旦本体ケース２の後方端を持ち上げ、本体ケース２の後方凸部２７と深孔部５４との係合を取り去った後に、前方側へ引き出すことになる。
【００５８】
なお、前記したように、本体ケース２の後方凸部２７の高さは、前記前方凸部２６の高さより高くされているが、本体ケース２を底板部１１に載置した状態、即ち、本体ケース２の後方凸部２７が溝５３の深孔部５４に落ち込んだ状態では、本体ケース２の底面２ａが凸状板部５０の上面部５０ａに当接した状態になっているので、本体ケース２は水平を維持する。しかしながら、本体ケース２を底板部１１より取り外し、流し台等の水平面に置いた場合には、本体ケース２は、ヒータ挿通孔２１がある後方側が高くなるので、本体ケース２内に入れた水が、振動で揺れて該ヒータ挿通孔２１よりこぼれることを防止できる。
【００５９】
（第４実施例）
図１３ないし図１５は、本願発明の更に他の実施例であり、図１３は加熱調理器の本体斜視図、図１４は図１３に対応する本体ケース上面斜視図、図１５は図１３に対応する本体ケース下面斜視図を示す。なお、第１実施例と共通な事項については省略する。
【００６０】
この実施例の凸状板部の形状は、図６のものと同様なものを用いている。即ち、符号５５、５５は、底板部１１上に形成される凸状板部で、所定距離離して前後方向に形成される２つの部分からなり、それらは底板部１１と別体で作製してもよいが、通常はプレスにより底板部と一体成形される。その形状は、略方形で、その高さは、１０ｍｍ前後とされる。なお、左右方向の幅の長さを前方側（温度調節用つまみ１２ａ側）より後方側（ヒンジ１４側）の方を長くする略台形状にすることにより、後記の本体ケースの位置合わせが容易になり、その着脱を滑らかにすることができる。また、前記凸状板部５５、５５の高さも前方より後方を低くすることにより、本体ケースの装着を容易に行えるとともに、装着後に本体ケースが前方側にずれることがなくなる。なお、凸状板部５５、５５の左右側面部である内側側面部５５ｂ、５５ｂ及び外側側面部５５ｃ、５５ｃは略垂直面とされる。
【００６１】
凸状板部５５、５５間であり、且つ凸状板部５５、５５の後方端部よりやや前方側には、楔状の凸状体５６が横架される。該凸状体５６は、凸状板部５５、５５間の長さを有し、その高さは、凸状板部５５の高さよりは低くされる。また、該凸状体５６は、前方へ傾斜した前方面５６ａ及び後方へ傾斜した後方面５６ｂを有するとともに、その後方面５６ｂの傾斜は、前方面５６ａの傾斜より急にされる。更に該凸状体５６は、凸状板部５５、５５とともに一体に形成されるが、別体であっても構わない。
【００６２】
図１４及び図１５は、本体ケース２を示す。該本体ケース２は、その側面にヒータ挿通孔２１がある側が後方に相当する。そしてその底面２ａには、内側から外側へ膨出した前方凸部２８及び後方凸部２９の２種類の凸部が形成されるとともに、これら凸部は、左右方向に同じものを２個配置してなる前方凸部２８と、１個の後方凸部２９の計３個からなる。
【００６３】
前記前方凸部２８は、円柱状の凸部であり、その底面部２８ａは平坦とされる。また、２つの前方凸部２８の内側側面部２８ｂ、２８ｂ間の距離は、図１３の２つの凸状板部５５、５５の外側側面部５５ｃ、５５ｃ間の長さよりやや大きい程度の長さに設定される。なお、この前方凸部２８の形状は、特に円柱に限らず、四角柱或いは前後方向に細長い形状等いろいろの形状のものであっても良いし、場合によってはなくても良い。
【００６４】
前記後方凸部２９は、図１５に示すように、本体ケース２の底面２ａ後方端部よりやや前方側に入ったところに、左右方向に形成される。該後方凸部２９は、前方へ傾斜した前方面２９ｃ及び後方へ傾斜した後方面２９ａを有するとともに、その後方面２９ａの傾斜は、前方面２９ｃの傾斜より緩やかにされ、更にその左右端は、略垂直な側面部２９ｂ、２９ｂを有し、全体としては細長い楔状を呈する。そして該後方凸部２９の長さは、図１３の凸状体５６の長さよりやや短い。
【００６５】
また、前記後方凸部２９の高さＸは、前記前方凸部２８の高さよりＹ大きくされる（Ｘ＞Ｙ）とともに、後方凸部２９の高さは、図１３の凸状板部５５の高さ以下にされる。なお、この後方凸部２９の形状は、特にその断面が三角形状の楔状に限らず、断面台形状の細長い形状等いろいろの形状のものであっても良い。
【００６６】
この実施例のものは、本体１の底板部１１上面に凸状板部５５及び凸状体５６を設けるとともに、本体ケース２の底面２ａに凸部２８，２９をそれぞれ設けることを特徴とするものである。そして底板部１１上に本体ケース２を載置するに際しては、以下の手順によって行う。
【００６７】
即ち、まず凸状板部５５、５５の前方側に本体ケース２の後方側底面２ａを載せ、凸状板部５５、５５の内側側面部５５ｂ、５５ｂ間に本体ケース２の後方凸部２９の側面部２９ｂ、２９ｂが入るように位置合わせをする。位置合わせをする場合、左右の凸状板部５５の内側側面部５５ｂ間の長さを前方側を後方側より大きくしておくことによりその位置合わせを容易に行うことができる。
【００６８】
位置合わせ終了後に本体ケース２を凸状板部５５、５５上に載せたまま本体ケース２の前方側面を後方側に押すことにより、本体ケース２を押し込む。すると本体ケース２の後方凸部２９が、左右の凸状板部５５の内側側面部５５ｂ間に介在するとともに、本体ケース２の前方凸部２８が、左右の凸状板部５５、５５の外側側面部５５ｃ、５５ｃの外側に介在することになり、本体ケース２は左右の凸状板部５５，５５にガイドされ、左右方向へずれることなく真っ直ぐ後方に押し込むことができる。この場合、前方凸部２４がなくても行うことができるが、あった方が、左右方向のずれが少なくて良い。
【００６９】
本体ケース２を押し込んでいくと、本体ケース２の後方凸部２９が、凸状板部５５，５５間に横架される凸状体５６に当接する。構わず本体ケース２を押し込んでいくと、本体ケース２後方凸部２９の傾斜後方面２９ａが、凸状体５６の傾斜前方面５６ａ上に乗り上げて後方へ押し込まれる。そしてついには、後方凸部２９の傾斜後方面２９ａは、凸状体５６の傾斜前方面５６ａを乗り越え、後方凸部２９は、凸状体５６の後方側に落ち込むことになるとともに、落ち込んだ後に本体ケース２は、ケース塞ぎ板１５ｂに当接し、それ以上の後方側の移動は阻止される。この場合、本体ケース２後方凸部２９の傾斜前方面２９ｃと凸状体５６の傾斜後方面５６ｂとが当接し、ストッパーとしての機能を奏するため、その状態で、本体ケース２を前方側に引いても本体ケース２は移動しない。本体ケース２を引き出すには、一旦本体ケース２の後方端を持ち上げ、本体ケース２の後方凸部２９と凸状体５６との係合を取り去った後に、前方側へ引き出すことになる。
【００７０】
なお、前記したように、本体ケース２の前記後方凸部２９の高さは、前記前方凸部２８の高さより大きくされているが、本体ケース２を底板部１１に載置した状態では、本体ケース２の底面２ａが凸状板部５５，５５の上面部５５ａ，５５ａに当接した状態になっているので、本体ケース２は水平を維持する。しかしながら、本体ケース２を底板部１１より取り外し、流し台等の水平面に置いた場合には、本体ケース２は、ヒータ挿通孔２１がある後方側が高くなるので、本体ケース２内に入れた水が、振動で揺れて該ヒータ挿通孔２１よりこぼれるのを防止できる。
【００７１】
本願発明は、上記実施例の構成に限定されるものではなく、発明の要旨を逸脱しない範囲において適宜設計変更可能であることは勿論である。
【００７３】
【発明の効果】
本願発明では、前記本体ケース後方側壁部にヒーター挿入用の孔を設け、
更に前記本体ケース底部の後方裏面部に凸部を設け、前記本体ケースを前記本体にセットした時には、前方端と後方端は略同一高さとなり、前記本体より取り外し、水平面に置いた時には、前方端が後方端より低くなることにより、本体ケースを本体から取り外し、床等の水平面に置いた時、本体ケース内の水が大きく揺れるが、本体ケースの前側が下がり本体ケースの後方側壁部に設けたヒータ挿通孔が高くなるため、ヒータ挿通孔より水がこぼれる弊害を防止できる。
【図面の簡単な説明】
【図１】  本願発明の加熱調理器の全体斜視図。
【図２】  本願発明の加熱調理器の全体断面図。
【図３】  本願発明の加熱調理器の第１実施例の本体斜視図。
【図４】  図３に対応する本体ケース上面斜視図。
【図５】  図３に対応する本体ケース下面斜視図。
【図６】  第１実施例の変形例の本体斜視図。
【図７】  本願発明の加熱調理器の第２実施例の本体斜視図。
【図８】  図７に対応する本体ケース上面斜視図。
【図９】  図７に対応する本体ケース下面斜視図。
【図１０】  本願発明の加熱調理器の第３実施例の本体斜視図。
【図１１】  図１０に対応する本体ケース上面斜視図。
【図１２】  図１０に対応する本体ケース下面斜視図。
【図１３】  本願発明の加熱調理器の第４実施例の本体斜視図。
【図１４】  図１３に対応する本体ケース上面斜視図。
【図１５】  図１３に対応する本体ケース下面斜視図。
【図１６】  従来例の加熱調理器の斜視図。
【符号の説明】
１…本体        ２…本体ケース    ３…焼き網
４…蓋体        １１…底板部      １２…取手
１３…支持部材  １４…ヒンジ      ４１…ヒータ挿入孔
４５…透視窓    ５０，５５…凸状板部  ５１…突出片
５２…凹陥部    ５３…溝          ５４…深孔部
５６…凸状体    １６ａ…上ヒータ  １６ｂ…下ヒータ
５２ａ…傾斜面  ５２ｂ…落ち込み部
【図１】
0003770116.tif 000002
【図２】
0003770116.tif 000003
【図３】
0003770116.tif 000004
【図４】
0003770116.tif 000005
【図５】
0003770116.tif 000006
【図６】
0003770116.tif 000007
【図７】
0003770116.tif 000008
【図８】
0003770116.tif 000009
【図９】
0003770116.tif 000010
【図１０】
0003770116.tif 000011
【図１１】
0003770116.tif 000012
【図１２】
0003770116.tif 000013
【図１３】
0003770116.tif 000014
【図１４】
0003770116.tif 000015
【図１５】
0003770116.tif 000016
【図１６】
0003770116.tif 000017